(57)【要約】【課題】負圧測定装置により石綿含有吹付け材および／または石綿含有材の除去作業エリア内部の負圧状態を測定し、作業者並びに工事関係者に負圧情報を通知するようにする。【解決手段】差圧スイッチおよび／または差圧計機能を備えた負圧測定装置６を、石綿含有吹付け材および／または石綿含有材Ａの除去作業エリア２の外部、または内部に設置すると共に、前記負圧測定装置６に警告表示灯１０と警告ブザー１１を取付けて警告機能を備えた石綿含有吹付け材および／または石綿含有材Ａの除去作業エリア２内部の負圧監視システムを構成する。【選択図】図１
2008082146.tif 000002
【特許請求の範囲】
【請求項１】
差圧スイッチおよび／または差圧計機能を備えた負圧測定装置を、石綿含有吹付け材および／または石綿含有材の除去作業エリア外部、または内部に設置すると共に、前記負圧測定装置に警告表示灯と警告ブザーを取付けて警告機能を備えたことを特徴とする石綿含有吹付け材および／または石綿含有材の除去作業エリア内部の負圧監視システム。
【請求項２】
差圧スイッチおよび／または差圧計機能を備えた負圧測定装置を、石綿含有吹付け材および／または石綿含有材の除去作業エリア外部、または内部に設置すると共に、前記負圧測定装置に警告表示灯と警告ブザー等より成る警告手段を取付ける一方、前記負圧測定装置の警告手段と連動する警告装置を、前記除去作業エリアの内部、または外部に設置して、警告機能を備えたことを特徴とする石綿含有吹付け材および／または石綿含有材の除去作業エリア内部の負圧監視システム。
【請求項３】
差圧スイッチおよび／または差圧計機能を備えた負圧測定装置を、石綿含有吹付け材および／または石綿含有材の除去作業エリア外部、または内部に設置すると共に、前記負圧測定装置に前記除去作業エリア外部に設置されたパソコンが接続されて、該パソコンに該除去作業エリア内部の負圧情報のデータ表示・保存をして監視する監視機能を備えたことを特徴とする石綿含有吹付け材および／または石綿含有材の除去作業エリア内部の負圧監視システム。
【請求項４】
差圧スイッチおよび／または差圧計機能を備えた負圧測定装置を、石綿含有吹付け材および／または石綿含有材の除去作業エリア外部、または内部に設置すると共に、前記負圧測定装置に前記除去作業エリア外部に設置されたパソコンが接続される一方、該パソコンから離れた位置にある監視用パソコンと前記パソコンとをインターネット網を介して接続して、前記除去作業エリア内部の負圧情報のデータ表示・保存をして監視する監視機能を備えたことを特徴とする石綿含有吹付け材および／または石綿含有材の除去作業エリア内部の負圧監視システム。
【請求項５】
差圧スイッチおよび／または差圧計機能を備えた負圧測定装置を、石綿含有吹付け材および／または石綿含有材の除去作業エリア外部、または内部に設置すると共に、前記負圧測定装置に警報分配装置を接続する一方、該警報分配装置に通報装置が接続され、且つ該通報装置を介して、１個または複数の携帯電話に、前記除去作業エリア内部の負圧情報を通報する通報機能を備えたことを特徴とする石綿含有吹付け材および／または石綿含有材の除去作業エリア内部の負圧監視システム。
【請求項６】
差圧スイッチおよび／または差圧計機能を備えた負圧測定装置を、石綿含有吹付け材および／または石綿含有材の除去作業エリア外部、または内部に設置すると共に、前記負圧測定装置に警報分配装置を接続する一方、該警報分配装置にバックアップ用負圧集塵機が接続され、稼動中の負圧集塵機の不具合が発生したとき、前記警報分配装置の指令信号により、前記バックアップ用負圧集塵機を起動するバックアップ機能を備えたことを特徴とする石綿含有吹付け材および／または石綿含有材の除去作業エリア内部の負圧監視システム。
【発明の詳細な説明】
【技術分野】
【０００１】
本発明は、石綿含有吹付け材および／または石綿含有材の除去作業エリア内部の負圧監視システムに関するものであり、特に除去作業エリア内部の適切な負圧状態がくずれたとき、除去作業エリア外部へ石綿により汚染された汚染空気や石綿粉塵が飛散して非常に危険となるので、負圧測定装置により除去作業エリア内部の負圧状態を常時測定し、作業者並びに工事関係者に負圧情報を通知し、更に、負圧が一定レベル以上になったときには、前記危険な状態を回避するようにした石綿含有吹付け材および／または石綿含有材の除去作業エリア内部の負圧監視システムに関するものである。
【背景技術】
【０００２】
石綿（アスベスト）は、その特性から多くの建物や商品に使用されてきたが、石綿を吸引した際の人体に及ぼす有害性から、現在はその使用が禁止されている。しかしながら、禁止以前に施工された建築物の解体、改修工事などの粉塵吸引の危険性や周辺環境への飛散等による健康障害の発生が大きな社会問題となっている。
【０００３】
そして、従来建築物における石綿含有吹付け材および／または石綿含有材の除去作業は、該石綿含有吹付け材を吹付けた部屋、または石綿含有材を使用した構築物をビニールシート等により遮蔽して除去作業エリアを形成して、前記除去作業エリア内部を負圧集塵機により、負圧状態に保持して、該除去作業エリア内部を除去作業エリア外部に比べ負圧に保ち、石綿により汚染された汚染空気や石綿粉塵が除去作業エリア外部へ漏れるのを防いで除去作業をすると共に、除去作業エリア外部の空気をサンプリングして、顕微鏡で確認して、前記汚染空気や石綿粉塵の除去作業エリア外部への漏出を検知していた。
【０００４】
また、石綿含有吹付け材および／または石綿含有材の除去作業に関する過去の特許文献を遡及検索したところ、下記の特許文献１が公知である。
【０００５】
【特許文献１】特開２００４−３０５９０４号公報
【発明の開示】
【発明が解決しようとする課題】
【０００６】
従来は、前記のように除去作業エリア内部を負圧状態に保持して、石綿含有吹付け材および／または石綿含有材の除去作業をしているが、石綿により汚染された汚染空気や石綿粉塵が除去作業エリア外部へ飛散するのを監視するため、単に除去作業エリア外部の空気をサンプリングして、これを顕微鏡で確認していたので、確認までに時間がかかり、速やかな対応を取ることができず、その結果、除去作業エリア外部へ石綿により汚染された汚染空気や石綿粉塵が飛散してしまい、非常に危険であるという課題があった。
【０００７】
また、特許文献１記載のものは、石綿除去方法に関するものであり、除去作業エリア内部を負圧集塵機により、負圧状態に保持するという記載があるが、除去作業エリア内部の負圧状態を監視する手段と共に、異常前に警報を発する手段を備えていないため、除去作業エリア内部の負圧状態が維持されなくなったときは、除去作業エリア外部へ石綿により汚染された汚染空気や石綿粉塵が飛散して非常に危険であるという課題があった。
【０００８】
本発明は、前記課題を解決すべくなされたものであって、除去作業エリア内部の負圧状態を、除去作業エリア内部、または外部に設置された負圧測定装置により測定することにより、前記除去作業エリア内・外の作業者、および工事関係者が、該除去作業エリア内部の負圧レベルが一定以上となった緊急事態を直ちに把握し、前記緊急事態に速やかに対応することができ、これにより除去作業エリア外部への石綿により汚染された汚染空気や石綿粉塵の飛散を防止することができる石綿含有吹付け材および／または石綿含有材の除去作業エリア内部の負圧監視システムを提供しようとするものである。
【課題を解決するための手段】
【０００９】
本発明は、差圧スイッチおよび／または差圧計機能を備えた負圧測定装置を、石綿含有吹付け材および／または石綿含有材の除去作業エリア外部、または内部に設置すると共に、前記負圧測定装置に警告表示灯と警告ブザーを取付けて警告機能を備えるという手段、または、
差圧スイッチおよび／または差圧計機能を備えた負圧測定装置を、石綿含有吹付け材および／または石綿含有材の除去作業エリア外部、または内部に設置すると共に、前記負圧測定装置に警告表示灯と警告ブザー等より成る警告手段を取付ける一方、前記負圧測定装置の警告手段と連動する警告装置を、前記除去作業エリアの内部、または外部に設置して、警告機能を備えるという手段、または、
差圧スイッチおよび／または差圧計機能を備えた負圧測定装置を、石綿含有吹付け材および／または石綿含有材の除去作業エリア外部、または内部に設置すると共に、前記負圧測定装置に前記除去作業エリア外部に設置されたパソコンが接続されて、該パソコンに該除去作業エリア内部の負圧情報のデータ表示・保存をして監視する監視機能を備えるという手段、または、
差圧スイッチおよび／または差圧計機能を備えた負圧測定装置を、石綿含有吹付け材および／または石綿含有材の除去作業エリア外部、または内部に設置すると共に、前記負圧測定装置に前記除去作業エリア外部に設置されたパソコンが接続される一方、該パソコンから離れた位置にある監視用パソコンと前記パソコンとをインターネット網を介して接続して、前記除去作業エリア内部の負圧情報のデータ表示・保存をして監視する監視機能を備えるという手段、または、
差圧スイッチおよび／または差圧計機能を備えた負圧測定装置を、石綿含有吹付け材および／または石綿含有材の除去作業エリア外部、または内部に設置すると共に、前記負圧測定装置に警報分配装置を接続する一方、該警報分配装置に通報装置が接続され、且つ該通報装置を介して、１個または複数の携帯電話に、前記除去作業エリア内部の負圧情報を通報する通報機能を備えるという手段、または、
差圧スイッチおよび／または差圧計機能を備えた負圧測定装置を、石綿含有吹付け材および／または石綿含有材の除去作業エリア外部、または内部に設置すると共に、前記負圧測定装置に警報分配装置を接続する一方、該警報分配装置にバックアップ用負圧集塵機が接続され、稼動中の負圧集塵機の不具合が発生したとき、前記警報分配装置の指令信号により、前記バックアップ用負圧集塵機を起動するバックアップ機能を備えるという手段、
のいずれかを採用することにより、上記課題を解決した。
【発明の効果】
【００１０】
本発明は、除去作業エリア内部の負圧情報を、除去作業エリア外部に設置された負圧測定装置により直ちに取得できて、前記除去作業エリア内・外部の作業者、および工事関係者は、該除去作業エリア内部の負圧レベルが一定以上となった緊急事態を直ちに把握できるので、前記緊急事態に速やかに対応することができ、除去作業エリア外部への石綿により汚染された汚染空気や石綿粉塵の飛散を防止することができる。
【実施例１】
【００１１】
本発明石綿含有吹付け材および／または石綿含有材の除去作業エリア内部の負圧監視システムの実施例１を、図面に基づいて詳細に説明すると、本発明の実施例１に係る石綿含有吹付け材等より成る警告手段石綿含有材の除去作業エリア内部の負圧監視システムは、ビニールシート等の遮蔽材１で遮蔽された石綿含有吹付け材および／または石綿含有材Ａの除去作業エリア２内部を負圧にするための負圧集塵機３が、該除去作業エリア２外部、または内部に設置される。
【００１２】
図１においては、前記負圧集塵機３は除去作業エリア２外部に設置され、該負圧集塵機３に連結された吸気ダクト４が、遮蔽材１を密に貫通して、前記吸気ダクト４の先端開口を前記除去作業エリア２内部に臨ませて配設されている。
【００１３】
また、図２においては、負圧集塵機３は除去作業エリア２内部に設置され、該負圧集塵機３に連結された排気ダクト５が、遮蔽材１を密に貫通して、前記排気ダクト５の先端開口を前記除去作業エリア２外部の大気中に開放した状態として配設されている。
【００１４】
本発明においては、負圧集塵機３が、除去作業エリア２の外部、または内部のいずれかに設置されてもよいが、実施例１においては、前記除去作業エリア２外部に設置したものとして説明する。そして、以下、各実施例についても同様である。
【００１５】
そして、本発明の実施例１においては、図３に示す差圧スイッチおよび／または差圧計を備えた負圧測定装置６が、前記除去作業エリア２外部に設置されると共に、該負圧測定装置６に備えられた大気導入口７と大気吸引ガイド口８のうち、大気吸引ガイド口８に連通された大気吸引用ガイド管９を、前記遮蔽材１に密に貫通して、該大気吸引用ガイド管９の先端開口を、負圧となっている前記除去作業エリア２内部に臨ませる一方、前記大気導入口７は、該除去作業エリア２外部の大気中に開放した状態とする。
【００１６】
前記実施例１の負圧測定装置６は、除去作業エリア２内部が負圧となっているとき、該負圧測定装置６の大気吸引ガイド口８に連結された大気吸引用ガイド管９が負圧側空気のガイド管となり、一方の大気導入口７から吸引導入された除去作業エリア２外部の大気と、前記除去作業エリア２内部の負圧空気との差圧を測定して、前記除去作業エリア２内部の負圧状態を確認できるよう形成されている。
【００１７】
また、実施例１による負圧測定装置６には、警告表示灯１０と警告ブザー１１等より成る警告手段がそれぞれ備えられており、前記除去作業エリア２内部の負圧レベルが、例えば−３Ｐａ以上の状態が６０秒以上続いた場合に、前記警告表示灯１０が黄色点滅すると共に、警告ブザー１１による断続した警告音を発するように設定したり、または、前記除去作業エリア２内部が前記レベルより危険状態の、例えば−１Ｐａ以上の状態になった時点で、警告表示灯１０が赤色点滅すると共に、警告ブザー１１による連続した警告音を発するよう設定され、前記除去作業エリア２外部の工事関係者に、該除去作業エリア２内部の負圧状態を知らしめ、警告を与える警告機能を備える。
【実施例２】
【００１８】
図４は、本発明石綿含有吹付け材および／または石綿含有材の除去作業エリア内部の負圧監視システムの実施例２を示す概略説明図である。前記実施例１においては、前記除去作業エリア２外部に負圧測定装置６が設置され、該除去作業エリア２外部の工事関係者に、前記除去作業エリア２内部の負圧状態を知らしめるのみであるが、実施例２は、更に前記実施例１の前記負圧測定装置６に備えられた警告表示灯１０と警告ブザー１１等より成る警告手段と連動して、前記除去作業エリア２内部の負圧レベルが危険状態になったときに、例えば表示灯点滅および警告音を発する警告装置１２を、前記除去作業エリア２内部に設置し、該除去作業エリア２外部の工事関係者と共に、前記除去作業エリア２内部の作業者に負圧状態を知らしめ、警告を与える警告機能を備える。
【実施例３】
【００１９】
図５は、本発明石綿含有吹付け材および／または石綿含有材の除去作業エリア内部の負圧監視システムの実施例３を示す概略説明図である。前記実施例１は除去作業エリア２外部に負圧測定装置６が設置されているが、実施例３は前記除去作業エリア２内部に負圧測定装置６が設置され、且つ該負圧測定装置６に備えられた大気導入口７と大気吸引口８のうち、大気導入口７に連通された大気導入管１３を前記遮蔽材１に密に貫通して、該大気導入管１３の先端開口を前記除去作業エリア２外部の大気中に臨ませる一方、前記大気吸引ガイド口８は、該該除去作業エリア２内部の負圧空気中に開放した状態とする。
【００２０】
前記実施例３の負圧測定装置６において、除去作業エリア２内部が負圧となっているとき、該除去作業エリア２内部の負圧によって、前記大気吸引ガイド口８が負圧状態となり、該負圧によって大気導入管１３から吸引導入された除去作業エリア２外部の大気と、前記除去作業エリア２内部の負圧空気との差圧を測定して、前記除去作業エリア２内部の負圧状態を確認できるよう形成されている。
【００２１】
更に、前記負圧測定装置６には、実施例１と同様に警告表示灯１０と警告ブザー１１等より成る警告手段がそれぞれ備えられており、前記除去作業エリア２内部の負圧レベルが、一定レベル以上に達したときは、前記警告表示灯１０が点滅すると共に、警告ブザー１１が警告音を発するという作用、および効果は実施例１と同一であるので、説明を省略する。
【００２２】
そして、実施例３においては、除去作業エリア２内部の作業者に負圧状態を知らしめ、警告を与える警告機能を備える。
【実施例４】
【００２３】
図６は、本発明石綿含有吹付け材および／または石綿含有材の除去作業エリア内部の負圧監視システムの実施例４を示す概略説明図である。前記実施例３においては、前記除去作業エリア２内部に負圧測定装置６が設置され、該除去作業エリア２内部の作業者に、前記除去作業エリア２内部の負圧状態を知らしめるのみであるが、実施例４は、更に前記実施例３の前記負圧測定装置６の警告表示灯１０と警告ブザー１１等より成る警告手段と連動して、例えば表示灯点滅および警告音を発する警告装置１２を、前記除去作業エリア２内部に設置し、該除去作業エリア２内部の作業者と共に、前記除去作業エリア２外部の工事関係者に負圧状態を知らしめ、警告を与える警告機能を備える。
【実施例５】
【００２４】
図７は、本発明石綿含有吹付け材および／または石綿含有材の除去作業エリア内部の負圧監視システムの実施例５を示す概略説明図である。実施例５は、負圧測定装置６（図７においては、除去作業エリア２外部に設置されているが、該除去作業エリア２内部に設置されたものも含む）が、除去作業エリア２外部に設置されたパソコン１４に接続されて、前記パソコン１４に除去作業エリア２内部の負圧状態をリアルタイムで表示し、更に、該パソコン１４に負圧情報のデータを保存して、負圧状態を監視する監視機能を備える。
【実施例６】
【００２５】
図８は、本発明石綿含有吹付け材および／または石綿含有材の除去作業エリア内部の負圧監視システムの実施例６を示す概略説明図である。実施例６は前記実施例５の変型である。すなわち、実施例６は、負圧測定装置６（図８においては、除去作業エリア２外部に設置されているが、該除去作業エリア２内部に設置されたものも含む）が、除去作業エリア２外部に設置されたパソコン１４に接続されて、前記パソコン１４に除去作業エリア２内部の負圧状態をリアルタイムで表示し、更に、該パソコン１４に負圧情報のデータを保存して負圧状態を監視する監視機能を備える外、前記パソコン１４と、作業現場から離れた場所にある、例えば工事事務所等の施設に設置された監視用パソコン１５とをインターネット網１６（有線および無線によるインターネット網およびＬＡＮを含む）を介して接続することにより、前記監視用パソコン１５に除去作業エリア２内部の負圧状態をリアルタイムで表示し、更に、該監視用パソコン１５に負圧情報のデータを保存して負圧状態を監視する監視機能を備える。
【実施例７】
【００２６】
図９は、本発明石綿含有吹付け材および／または石綿含有材の除去作業エリア内部の負圧監視システムの実施例７を示す概略説明図である。実施例７においては、負圧測定装置６（図９においては、除去作業エリア２外部に設置されているが、該除去作業エリア２内部に設置されたものも含む）が、警報分配装置１７（図９においては、警報分配装置１７が単独の装置として表示されているが、負圧測定装置６、または後述する通報装置１８と一体に備えられたものも含む）に接続され、且つ該警報分配装置１７には、更に通報装置１８が接続されていて、該通報装置１８を介して、１人または複数の工事関係者が所有するそれぞれの携帯電話１９に、前記負圧測定装置６からの負圧情報を送信して、前記工事関係者に携帯電話１９で除去作業エリア２内部の負圧情報を通報する通報機能を備える。
【実施例８】
【００２７】
図１０は、本発明石綿含有吹付け材および／または石綿含有材の除去作業エリア内部の負圧監視システムの実施例８を示す概略説明図である。実施例８においては、負圧測定装置６に接続された警報分配装置１７（図１０においては、警報分配装置１７が単独の装置として表示されているが、負圧測定装置６と一体に備えられたものも含む）には、更にバックアップ用負圧集塵機２０が接続されており、実際に稼動している負圧集塵機３の風量低下、または停止等の不具合により、除去作業エリア２内部の負圧が維持できなくなったとき、前記警報分配装置１７から指令信号を前記バックアップ用負圧集塵機２０に送信して、該バックアップ用負圧集塵機２０を直ちに起動し、除去作業エリア２内部の負圧維持を図るバックアップ機能を備える。
【００２８】
本発明は、前記各機能を備えることにより、除去作業エリア２内部の負圧情報を負圧測定装置６により直ちに取得できて、前記除去作業エリア２内の作業者、および除去作業エリア２外の工事関係者は、該除去作業エリア２内部の負圧の低下の緊急事態を直ちに把握できるので、前記緊急事態に速やかに対応することができる。なお、図中、２１は、作業者が除去作業エリア２に入・退室する際に使用するセキュリティルームである。
【図面の簡単な説明】
【００２９】
【図１】本発明石綿含有吹付け材および／または石綿含有材の除去作業エリア内部の負圧監視システムの実施例１であって、負圧集塵機と負圧測定装置が除去作業エリア外部に設置された例を示す一部切欠き斜視図である。
【図２】本発明石綿含有吹付け材および／または石綿含有材の除去作業エリア内部の負圧監視システムの実施例１であって、負圧集塵機が除去作業エリア内部に設置されると共に、負圧測定装置が除去作業エリア外部に設置された例を示す一部切欠き斜視図である。
【図３】本発明石綿含有吹付け材および／または石綿含有材の除去作業エリア内部の負圧監視システムにおいて使用する負圧測定装置の斜視図である。
【図４】本発明石綿含有吹付け材および／または石綿含有材の除去作業エリア内部の負圧監視システムの実施例２を示す概略説明図である。
【図５】本発明石綿含有吹付け材および／または石綿含有材の除去作業エリア内部の負圧監視システムの実施例３を示す概略説明図である。
【図６】本発明石綿含有吹付け材および／または石綿含有材の除去作業エリア内部の負圧監視システムの実施例４を示す概略説明図である。
【図７】本発明石綿含有吹付け材および／または石綿含有材の除去作業エリア内部の負圧監視システムの実施例５を示す概略説明図である。
【図８】本発明石綿含有吹付け材および／または石綿含有材の除去作業エリア内部の負圧監視システムの実施例６を示す概略説明図である。
【図９】本発明石綿含有吹付け材および／または石綿含有材の除去作業エリア内部の負圧監視システムの実施例７を示す概略説明図である。
【図１０】本発明石綿含有吹付け材および／または石綿含有材の除去作業エリア内部の負圧監視システムの実施例８を示す概略説明図である。
【符号の説明】
【００３０】
Ａ    石綿含有吹付け材および／または石綿含有材
１    ビニールシート  
２    除去作業エリア
３    負圧集塵機
６    負圧測定装置
１０  警告表示灯
１１  警告ブザー
１２  警告装置
１４  パソコン
１５  監視用パソコン
１６  インターネット網
１７  警報分配装置
１８  通報装置
１９  携帯電話
２０  バックアップ用負圧集塵機
【図１】
2008082146.tif 000003
【図２】
2008082146.tif 000004
【図３】
2008082146.tif 000005
【図４】
2008082146.tif 000006
【図５】
2008082146.tif 000007
【図６】
2008082146.tif 000008
【図７】
2008082146.tif 000009
【図８】
2008082146.tif 000010
【図９】
2008082146.tif 000011
【図１０】
2008082146.tif 000012